(57)【特許請求の範囲】
【請求項１】
回転軸に対して傾斜したコロ軸周りに回転可能なコロを有するコロ軸受であって、
前記コロが転動する外転動面を有するアウターレースと、
前記アウターレースに囲まれるインナーレースと、
前記コロ軸の延設方向における前記コロの変位を規制するように前記アウターレースと前記インナーレースとの間に配置された保持器と、を備え、
前記コロは、第１端面と、前記第１端面よりも周方向外側に位置する第２端面と、を含み、
前記保持器は、前記コロの前記変位を規制する規制輪を含み、
前記規制輪は、前記第１端面に当接して前記コロの変位を規制する規制面を含む主輪を含み、
前記保持器は、前記第１端面側の前記インナーレースに連結され、
前記インナーレースは、前記外転動面に対向し凹部が凹設された対向面を含み、
前記保持器は、前記主輪の内周部から突出し、前記凹部に係合する突部を含み、
前記突部は、前記主輪から離れるに従って先細りとなる形状を有する
コロ軸受。
【請求項２】
前記凹部は、前記回転軸を取り巻くように前記対向面に形成された溝輪であり、
前記突部は、前記溝輪に係合する突輪である
請求項１に記載のコロ軸受。
【請求項３】
前記対向面は、前記コロが転動する内転動面と、前記内転動面から前記回転軸の延設方向に延びる延長面と、を含み、
前記溝輪は、前記内転動面と前記延長面との間の境界に沿って形成される
請求項２に記載のコロ軸受。
【請求項４】
前記対向面は、前記コロが転動する内転動面と、前記内転動面から前記回転軸の延設方向に延びる延長面と、を含み、
前記凹部は、前記延長面に形成される
請求項１に記載のコロ軸受。
【請求項５】
前記対向面は、前記コロが転動する内転動面であり、
前記凹部は、前記内転動面に形成される
請求項１に記載のコロ軸受。
【請求項６】
前記突部は、前記主輪から前記コロ軸に対して直角の方向に突出する突起である
請求項５に記載のコロ軸受。
【請求項７】
前記突部は、前記主輪から前記回転軸に対して直角の方向に突出する突起である
請求項５に記載のコロ軸受。
【発明の詳細な説明】
【技術分野】
【０００１】
本発明は、コロ軸受に関する。
【背景技術】
【０００２】
コロ軸受は、ラジアル荷重及びアキシアル荷重に対して高い負荷容量を有する。加えて、コロ軸受は、耐衝撃性及び剛性にも優れているので、様々な技術分野で利用される。
【０００３】
長い軸長寸法を有するコロがコロ軸受に組み込まれるならば、コロ軸受の負荷容量は大きくなる。その一方で、コロ軸受の軸長寸法は、大きくなる。特許文献１は、小径側の鍔部を除去し、長いテーパコロを組み込む技術を提案する。
【先行技術文献】
【特許文献】
【０００４】
【特許文献１】特開２００９−３６３２７号公報
【発明の概要】
【発明が解決しようとする課題】
【０００５】
特許文献１によれば、テーパコロを保持する保持器は、大径側に配置された鍔部に形成された溝部に係合される。鍔部への溝部の形成は、鍔部の強度の低下に帰結するので、設計者は、大径側において鍔部を厚く形成する必要がある。したがって、特許文献１の技術は、長いテーパコロの使用を可能にするけれども、テーパコロ軸受自体の軸長寸法を増大させる。
【０００６】
本発明は、コロ軸受自体の軸長寸法を増大させることなく、長いコロを組み込むことを可能にする技術を提供することを目的とする。
【課題を解決するための手段】
【０００７】
本発明の一局面に係るコロ軸受は、回転軸に対して傾斜したコロ軸周りに回転可能なコロを有する。コロ軸受は、前記コロが転動する外転動面を有するアウターレースと、前記アウターレースに囲まれるインナーレースと、前記コロ軸の延設方向における前記コロの変位を組立時に規制するように前記アウターレースと前記インナーレースとの間に配置された保持器と、を備える。前記コロは、第１端面と、前記第１端面よりも周方向外側に位置する第２端面と、を含む。前記保持器は、前記コロの前記変位を規制する規制輪を含む。前記規制輪は、前記第１端面に当接して前記コロの変位を規制する規制面を含む主輪を含む。前記保持器は、前記第１端面側の前記インナーレースに連結される。前記インナーレースは、前記外転動面に対向し凹部が凹設された対向面を含む。前記保持器は、前記主輪の内周部から突出し、前記凹部に係合する突部を含む。前記突部は、前記主輪から離れるに従って先細りとなる形状を有する。
【０００８】
上記構成によれば、保持器の規制輪は、第１端面に当接するので、保持器は、コロの変位を適切に規制することができる。一般的なコロ軸受が有する第１端面側の鍔部は、必要とされないので、コロは、コロ軸の延設方向において大きな寸法を有することができる。第１端面に当接し、コロの変位を規制する保持器は、インナーレースに連結されるので、保持器は、アウターレース及び／又はインナーレースの軸長寸法の増加なくして、アウターレース及び／又はインナーレースによって囲まれた空間内で適切に固定される。したがって、長いコロは、コロ軸受自体の軸長寸法を増大させることなく、コロ軸受に組み込まれる。
【００１０】
上記構成によれば、保持器は、外転動面に対向するインナーレースの対向面に形成された凹部に係合する突部を含むので、保持器は、対向面上で適切に保持される。凹部と突部とによって形成される係合構造は、アウターレース及び／又はインナーレースによって囲まれた空間内で構築されるので、長いコロは、コロ軸受自体の軸長寸法を増大させることなく、コロ軸受に組み込まれる。凹部を形成しても、第１端面側のインナーレースの端部は、アウターレースよりも軸方向で第２端面側に位置する。凹部を形成しても、第１端面側のインナーレースの端部は飛び出ずに、コロ軸受自体の軸長寸法は長くならない。
【００１１】
上記構成において、前記凹部は、前記回転軸を取り巻くように前記対向面に形成された溝輪であってもよい。前記突部は、前記溝輪に係合する突輪であってもよい。
【００１２】
上記構成によれば、突部は、前記回転軸を取り巻くように対向面に形成された溝輪に係合する突輪であるので、保持器は、対向面上でしっかりと固定される。したがって、保持器は、小径側へのコロの変位を適切に規制することができる。
【００１３】
上記構成において、前記対向面は、前記コロが転動する内転動面と、前記内転動面から前記回転軸の延設方向に延びる延長面と、を含んでもよい。前記溝輪は、前記内転動面と前記延長面との間の境界に沿って形成されてもよい。
【００１４】
上記構成によれば、溝輪は、内転動面と延長面との間の境界に沿って形成されるので、インナーレースを製造する製造者は、ぬすみ加工を採用し、溝輪を形成することができる。したがって、コロ軸受は、溝輪を形成するための追加的及び／又は特別な加工を要することなく形成される。
【００１５】
上記構成において、前記対向面は、前記コロが転動する内転動面と、前記内転動面から前記回転軸の延設方向に延びる延長面と、を含んでもよい。前記凹部は、前記延長面に形成されてもよい。
【００１６】
上記構成によれば、凹部は、延長面に形成されるので、保持器は、インナーレースに容易に取り付けられる。
【００１７】
上記構成において、前記対向面は、前記コロが転動する内転動面であってもよい。前記凹部は、前記内転動面に形成されてもよい。
【００１８】
上記構成によれば、凹部は、内転動面に形成されるので、上述の延長面は必要とされない。したがって、コロ軸受は、軽量化される。
【００１９】
上記構成において、前記突部は、前記主輪から前記コロ軸に対して直角の方向に突出する突起であってもよい。
【００２０】
上記構成によれば、突起は、主輪からコロ軸に対して直角の方向に突出するので、保持器は、突輪周囲において簡素な形状を有することができる。
【００２１】
上記構成において、前記突部は、前記主輪から前記回転軸に対して直角の方向に突出する突起であってもよい。
【００２２】
上記構成によれば、突起は、コロ軸に対して傾斜する回転軸に対して直角の方向において主輪から突出するので、コロ軸の延設方向に作用する力の分力は、突輪と溝輪との間の係合を強める方向に作用する。したがって、突起は、溝輪から外れにくくなる。
【発明の効果】
【００２３】
本発明は、コロ軸受自体の軸長寸法を増大させることなく、長いコロを組み込むことを可能にする。
【図面の簡単な説明】
【００２４】
【図１】第１実施形態のコロ軸受の概略的な部分断面図である。
【図２】図１に示されるコロ軸受の保持器の概略的な平面図である。
【図３】第２実施形態のコロ軸受の概略的な部分断面図である。
【図４】第３実施形態のコロ軸受の概略的な部分断面図である。
【図５】第４実施形態のコロ軸受の概略的な部分断面図である。
【発明を実施するための形態】
【００２５】
＜第１実施形態＞
本発明者等は、コロ軸受の負荷容量を増大するために、長い軸長寸法を有するコロをコロ軸受に組み込むための様々な構造を案出した。第１実施形態において、例示的なコロ軸受が説明される。
【００２６】
図１は、第１実施形態のテーパコロ軸受（コロ軸受）１００の概略的な部分断面図である。図１を参照して、テーパコロ軸受１００が説明される。
【００２７】
テーパコロ軸受１００は、複数のテーパコロ（コロ）１１０（図１は、複数のテーパコロ１１０のうち１つを示す）と、アウターレース１２０と、インナーレース１３０と、保持器１４０と、を備える。アウターレース１２０及びインナーレース１３０はともに環状である。コロ１１０は、テーパコロを例示する。このコロ１１０は円筒コロであっても良い。インナーレース１３０は、アウターレース１２０によって取り囲まれる。アウターレース１２０及びインナーレース１３０は、協働して、回転軸ＡＸ１を定める。アウターレース１２０及びインナーレース１３０は、回転軸ＡＸ１周りに相対的に回転する。
【００２８】
複数のテーパコロ１１０は、アウターレース１２０とインナーレース１３０との間で環状に配列される。複数のテーパコロ１１０それぞれは、回転軸ＡＸ１に対して所定の傾斜角度（＞０°）で傾斜した回転軸ＡＸ２周りに回転する。本実施形態において、コロ軸は、回転軸ＡＸ２によって例示される。
【００２９】
複数のテーパコロ１１０それぞれは、円錐台状である。なお、円筒コロの場合は、筒状である。複数のテーパコロ１１０それぞれは、略円形の第１端面１１１と、略円形の第２端面１１２と、第１端面１１１と第２端面１１２との間で形成された周面１１３と、を含む。回転軸ＡＸ２は、第１端面１１１及び第２端面１１２の中心Ｐ１，Ｐ２を貫通する。第２端面１１２は、第１端面１１１よりも広い。第２端面１１２の中心Ｐ２は、第１端面１１１の中心Ｐ１よりも回転軸ＡＸ１から離れている。すなわち、テーパコロ１１０は、第１端面と、第１端面よりも周方向外側に位置する第２端面と、有する。
【００３０】
アウターレース１２０は、回転軸ＡＸ１に対して傾斜した転動面１２１を含む。テーパコロ１１０の周面１１３は、転動面１２１に当接する。テーパコロ１１０は、回転軸ＡＸ２周りに回転し、転動面１２１上を転動する。本実施形態において、外転動面は、転動面１２１によって例示される。
【００３１】
インナーレース１３０は、アウターレース１２０の転動面１２１に対向する対向面１３１を含む。対向面１３１は、転動面１３２と、延長面１３３と、を含む。テーパコロ１１０の周面１１３は、転動面１３２にも当接する。テーパコロ１１０は、回転軸ＡＸ２周りに回転し、転動面１３２上を転動する。延長面１３３は、転動面１３２から延出する。延長面１３３は、テーパコロ１１０の第２端面１１２よりも第１端面１１１の近くに位置する。回転軸ＡＸ１に対して傾斜する転動面１３２とは異なり、延長面１３３は、回転軸ＡＸ１に対して略平行である。本実施形態において、内転動面は、転動面１３２によって例示される。
【００３２】
インナーレース１３０は、転動面１３２からアウターレース１２０に向けて突出する鍔部１３４を更に含む。鍔部１３４は、テーパコロ１１０の第２端面１１２に当接する。
【００３３】
図１は、回転軸ＡＸ２に平行な２つの矢印を示す。第２端面１１２から第１端面１１１へ向かう方向を指し示す矢印によって表される方向は、以下の説明において、「第１方向」と称される。第１端面１１１から第２端面１１２へ向かう方向を指し示す矢印によって表される方向は、以下の説明において、「第２方向」と称される。鍔部１３４は、第２方向におけるテーパコロ１１０の変位を規制する。
【００３４】
図２は、保持器１４０の概略的な平面図である。図１及び図２を参照して、テーパコロ軸受１００が更に説明される。
【００３５】
図１に示される如く、保持器１４０は、アウターレース１２０とインナーレース１３０との間に配置される。保持器１４０は、テーパコロ１１０の第１方向及び第２方向の変位を規制するために用いられる。
【００３６】
図２に示される如く、保持器１４０は、第１規制輪１４１と、第２規制輪１４２と、複数の連結片１４３と、を含む。第１規制輪１４１は、テーパコロ１１０の第１端面１１１に隣接する環状部位である。第２規制輪１４２は、テーパコロ１１０の第２端面１１２に隣接する環状部位である。第２規制輪１４２は、第１規制輪１４１よりも大きな直径を有する。複数の連結片１４３は、回転軸ＡＸ１周りに略等間隔に配置され、第１規制輪１４１と第２規制輪１４２とを連結する。したがって、保持器１４０は、全体的に、円錐台状である。
【００３７】
略台形状のポケット１４４が、隣り合う連結片１４３の間に形成される。複数のテーパコロ１１０は、保持器１４０に形成された複数のポケット１４４にそれぞれ収容される。
【００３８】
図１に示される如く、第１規制輪１４１は、主輪１４５と、突輪１４６と、を含む。主輪１４５は、複数のテーパコロ１１０それぞれの第１端面１１１に対向する規制面１４７を含む環状部位である。突輪１４６は、主輪１４５の内周から回転軸ＡＸ１に向けて突出する環状部位である。規制面１４７は、第１端面１１１に当接し、第１方向へのテーパコロ１１０の変位を規制する。本実施形態において、規制輪は、第１規制輪１４１によって例示される。
【００３９】
対向面１３１には、溝輪１３５が凹設される。溝輪１３５は、回転軸ＡＸ１周りに１周する。溝輪１３５は、略半円形状の断面を有する。溝輪１３５は、転動面１３２と延長面１３３との間の境界に沿って形成される。溝輪１３５は、インナーレース１３０の形成時に行われるぬすみ加工によって容易に形成される。第１規制輪１４１の突輪１４６は、溝輪１３５に係合される。保持器１４０は、突輪１４６と溝輪１３５との間の係合によって、対向面１３１にしっかりと固定されるので、テーパコロ１１０は、脱落しない。本実施形態において、凹部は、溝輪１３５によって例示される。突部は、突輪１４６によって例示される。
【００４０】
＜第２実施形態＞
保持器と係合する凹部は、延長面に形成されてもよい。この場合、第１規制輪と転動面との重畳長さは短くなる。この結果、長いテーパコロが、テーパコロ軸受に組み込まれることができる。第２実施形態において、延長面に形成された凹部を有する例示的なテーパコロ軸受が説明される。
【００４１】
図３は、第２実施形態のテーパコロ軸受１００Ａの概略的な部分断面図である。図３を参照して、テーパコロ軸受１００Ａが説明される。第１実施形態の説明は、第１実施形態と同一の符号が付された要素に援用される。
【００４２】
第１実施形態と同様に、テーパコロ軸受１００Ａは、複数のテーパコロ１１０（図３は、複数のテーパコロ１１０のうち１つを示す）と、アウターレース１２０と、を備える。第１実施形態の説明は、これらの要素に援用される。
【００４３】
テーパコロ軸受１００Ａは、インナーレース１３０Ａと、保持器１４０Ａと、を更に備える。第１実施形態と同様に、インナーレース１３０Ａは、転動面１３２と鍔部１３４とを含む。第１実施形態の説明は、これらの要素に援用される。
【００４４】
インナーレース１３０Ａは、延長面１３３Ａを更に含む。延長面１３３Ａは、転動面１３２から延出する。延長面１３３Ａは、テーパコロ１１０の第２端面１１２よりも第１端面１１１の近くに位置する。回転軸ＡＸ１に対して傾斜する転動面１３２とは異なり、延長面１３３Ａは、回転軸ＡＸ１に対して略平行である。
【００４５】
第１実施形態と同様に、保持器１４０Ａは、第２規制輪１４２と、複数の連結片１４３（図３は、複数の連結片１４３のうち１つを示す）と、を含む。第１実施形態の説明は、これらの要素に援用される。
【００４６】
保持器１４０Ａは、第１規制輪１４１Ａを更に含む。第１規制輪１４１Ａは、テーパコロ１１０の第１端面１１１に隣接する環状部位である。第１実施形態と同様に、第１規制輪１４１Ａは、主輪１４５を含む。第１実施形態の説明は、主輪１４５に援用される。
【００４７】
保持器１４０Ａは、少なくとも３つの突起１４６Ａ（図３は、少なくとも３つの突起１４６Ａのうち１つを示す）を含む。突起１４６Ａは、主輪１４５の内周から回転軸ＡＸ１に向けて突出する瘤状部位である。
【００４８】
第１実施形態とは異なり、保持器１４０の突起１４６Ａが係合する凹部１３５Ａは、延長面１３３Ａに凹設される。凹部１３５Ａは、突起１４６Ａに対応して形成される。凹部１３５Ａは、略矩形状の縦断面を有する。突起１４６Ａは、凹部１３５Ａと相補的な矩形状の断面を有する。したがって、突起１４６Ａは、凹部１３５Ａにしっかりと嵌め込まれる。
【００４９】
＜第３実施形態＞
保持器と係合する凹部は、転動面に形成されてもよい。この場合、インナーレースは、延長面を有さなくてもよい。この結果、テーパコロ軸受は、軽量化される。第３実施形態において、転動面に形成された凹部を有する例示的なテーパコロ軸受が説明される。
【００５０】
図４は、第３実施形態のテーパコロ軸受１００Ｂの概略的な部分断面図である。図４を参照して、テーパコロ軸受１００Ｂが説明される。第２実施形態の説明は、第２実施形態と同一の符号が付された要素に援用される。
【００５１】
第２実施形態と同様に、テーパコロ軸受１００Ｂは、複数のテーパコロ１１０（図４は、複数のテーパコロ１１０のうち１つを示す）と、アウターレース１２０と、保持器１４０と、を備える。第２実施形態の説明は、これらの要素に援用される。
【００５２】
テーパコロ軸受１００Ｂは、インナーレース１３０Ｂを更に備える。第２実施形態と同様に、インナーレース１３０Ｂは、鍔部１３４を含む。第２実施形態の説明は、鍔部１３４に援用される。
【００５３】
インナーレース１３０Ｂは、転動面１３２Ｂを更に含む。テーパコロ１１０の周面１１３は、転動面１３２Ｂに当接する。テーパコロ１１０は、回転軸ＡＸ２周りに回転し、転動面１３２Ｂ上を転動する。鍔部１３４は、転動面１３２Ｂからアウターレース１２０に向けて突出する。本実施形態において、内転動面は、転動面１３２Ｂによって例示される。
【００５４】
転動面１３２Ｂは、基端縁１３６と、基端縁１３６とは反対側の先端縁１３７と、を含む。転動面１３２Ｂは、基端縁１３６から先端縁１３７までの区間において、回転軸ＡＸ１に対して傾斜する。
【００５５】
インナーレース１３０Ｂは、先端面１３８を含む。先端面１３８は、回転軸ＡＸ１に対して直角であり、且つ、先端縁１３７を包括するように規定された仮想平面（図示せず）上で環状の帯領域を形成する。
【００５６】
第２実施形態とは異なり、保持器１４０の突起１４６Ａが係合する凹部１３５Ｂは、先端縁１３７の近傍において、転動面１３２Ｂに凹設される。凹部１３５Ｂは、突起１４６Ａに対応して形成される。凹部１３５Ｂは、略矩形状の縦断面を有する。突起１４６Ａは、凹部１３５Ｂと相補的な矩形状の断面を有する。したがって、突起１４６Ａは、凹部１３５Ｂにしっかりと嵌め込まれる。
【００５７】
主輪１４５からの突起１４６Ａの突出方向は、回転軸ＡＸ１の延設方向に対して略直角である。同様に、転動面１３２Ｂからの凹部１３５Ｂの凹設方向も、回転軸ＡＸ１の延設方向に対して略直角である。したがって、突起１４６Ａは、凹部１３５Ｂに適切に嵌め込まれる。
【００５８】
＜第４実施形態＞
転動面に凹設される凹部の凹設方向は、テーパコロの回転軸に対して直角であってもよい。この場合、凹部と係合する突部の突出方向も、テーパコロの回転軸に対して直角に設定される。第４実施形態において、テーパコロの回転軸に対して直角な方向に凹設及び突設される係合構造を有する例示的なテーパコロ軸受が説明される。
【００５９】
図５は、第４実施形態のテーパコロ軸受１００Ｃの概略的な部分断面図である。図５を参照して、テーパコロ軸受１００Ｃが説明される。第３実施形態の説明は、第３実施形態と同一の符号が付された要素に援用される。
【００６０】
第３実施形態と同様に、テーパコロ軸受１００Ｃは、複数のテーパコロ１１０（図５は、複数のテーパコロ１１０のうち１つを示す）と、アウターレース１２０と、を備える。第３実施形態の説明は、これらの要素に援用される。
【００６１】
テーパコロ軸受１００Ｃは、インナーレース１３０Ｃと、保持器１４０Ｃと、を更に備える。第３実施形態と同様に、インナーレース１３０Ｃは、鍔部１３４と、先端面１３８と、を含む。第３実施形態の説明は、これらの要素に援用される。第３実施形態と同様に、保持器１４０Ｃは、第２規制輪１４２と、複数の連結片１４３（図５は、複数の連結片１４３のうち１つを示す）と、を含む。第３実施形態の説明は、これらの要素に援用される。
【００６２】
インナーレース１３０Ｃは、転動面１３２Ｃを更に含む。第３実施形態と同様に、転動面１３２Ｃは、基端縁１３６と、先端縁１３７と、を含む。第３実施形態の説明は、これらの要素に援用される。
【００６３】
転動面１３２Ｃは、基端縁１３６から先端縁１３７までの区間において、回転軸ＡＸ１に対して傾斜する。テーパコロ１１０の周面１１３は、転動面１３２Ｃに当接する。テーパコロ１１０は、回転軸ＡＸ２周りに回転し、転動面１３２Ｃ上を転動する。鍔部１３４は、転動面１３２Ｃからアウターレース１２０に向けて突出する。本実施形態において、内転動面は、転動面１３２Ｃによって例示される。
【００６４】
凹部１３５Ｃは、先端縁１３７の近傍において、転動面１３２Ｃに凹設される。凹部１３５Ｃは、略矩形状の断面を有する。転動面１３２Ｃからの凹部１３５Ｃの凹設方向は、回転軸ＡＸ２の延設方向に対して略直角である。
【００６５】
保持器１４０Ｃは、第１規制輪１４１Ｃを含む。第３実施形態と同様に、第１規制輪１４１Ｃは、主輪１４５を含む。第３実施形態の説明は、主輪１４５に援用される。
【００６６】
第１規制輪１４１Ｃは、少なくとも３つの突起１４６Ｃ（図５は、少なくとも３つの突起１４６Ｃのうち１つを示す）を更に含む。突起１４６Ｃは、主輪１４５の内周から回転軸ＡＸ２に対して直角の方向に突出する。凹部１３５Ｃは、突起１４６Ｃに対応して形成される。したがって、突起１４６Ｃは、凹部１３５Ｃに適切に嵌め込まれる。加えて、突起１４６Ｃは、凹部１３５Ｃと相補的な矩形状の縦断面を有する。したがって、突起１４６Ｃは、凹部１３５Ｃにしっかりと嵌め込まれる。
【００６７】
上述の様々な実施形態に関連して説明された設計原理は、様々なテーパコロ軸受に適用可能である。上述の様々な実施形態のうち１つに関連して説明された様々な特徴のうち一部が、他のもう１つの実施形態に関連して説明されたテーパコロ軸受に適用されてもよい。
【００６８】
上述の実施形態において、保持器は、インナーレースに取り付けられている。しかしながら、同様の取付構造は、アウターレースに適用されてもよい。さらに、組立時のみ、保持器１４０は、テーパコロ１１０の第１方向及び第２方向の変位を規制し、組立後は、第１規制輪１４１と、第２規制輪１４２とを非接触状態としても良い。同様に組立後は、凹部と突部とを非接触状態としても良い。なお、保持器は、突部が凹部に係合することで、コロを保持したまま、インナーレースまたはアウターレースに引っ掛けられた状態で、組立作業を行うことができる。また、図１に示される凹部の底面を断面円弧状に形成してもよく。突部をこの断面円弧状に沿った形状にしても良い。
【産業上の利用可能性】
【００６９】
上述の実施形態の原理は、テーパコロ軸受を利用する様々な技術分野に好適に利用される。
【符号の説明】
【００７０】
１００，１００Ａ，１００Ｂ，１００Ｃ・・・・・・・・・・テーパコロ軸受
１１０・・・・・・・・・・・・・・・・・・・・・・・・・テーパコロ
１１１・・・・・・・・・・・・・・・・・・・・・・・・・第１端面
１１２・・・・・・・・・・・・・・・・・・・・・・・・・第２端面
１２０・・・・・・・・・・・・・・・・・・・・・・・・・アウターレース
１２１・・・・・・・・・・・・・・・・・・・・・・・・・転動面
１３０，１３０Ａ，１３０Ｂ，１３０Ｃ・・・・・・・・・・インナーレース
１３１・・・・・・・・・・・・・・・・・・・・・・・・・対向面
１３２，１３２Ｂ，１３２Ｃ・・・・・・・・・・・・・・・転動面
１３３，１３３Ａ・・・・・・・・・・・・・・・・・・・・延長面
１３５・・・・・・・・・・・・・・・・・・・・・・・・・溝輪
１３５Ａ，１３５Ｂ，１３５Ｃ・・・・・・・・・・・・・・凹部
１４０，１４０Ｃ・・・・・・・・・・・・・・・・・・・・保持器
１４１，１４１Ｃ・・・・・・・・・・・・・・・・・・・・第１規制輪
１４５・・・・・・・・・・・・・・・・・・・・・・・・・主輪
１４６・・・・・・・・・・・・・・・・・・・・・・・・・突輪
１４６Ａ，１４６Ｃ・・・・・・・・・・・・・・・・・・・突起
ＡＸ１，ＡＸ２・・・・・・・・・・・・・・・・・・・・・回転軸
【図１】
0006694288.tif 000002
【図２】
0006694288.tif 000003
【図３】
0006694288.tif 000004
【図４】
0006694288.tif 000005
【図５】
0006694288.tif 000006